(57)【特許請求の範囲】
【請求項１】
開口を有する原水貯蔵容器と、
前記原水貯蔵容器の開口を閉塞する少なくとも一層の蓋体と、
前記原水貯蔵容器の開口を蓋体で閉塞することによって形成される原水貯蔵部と、
前記原水貯蔵部を加圧する加圧手段と、
前記原水貯蔵部に接続し、原水を浄化する浄化手段と、
前記浄化手段が浄化した浄水を貯蔵する浄水貯蔵部と、
前記浄水貯蔵部から浄水を吐水する吐水手段とを有し、前記原水貯蔵部の容量（Ｓ１）は、０．５Ｌ以上、４Ｌ以下であり、前記浄水貯蔵部の容量（Ｓ２）は、１００ｍＬ以上、３００ｍＬ以下であることを特徴とする携帯型浄水器。
【請求項２】
前記浄水貯蔵部の底部が、原水貯蔵部の底部よりも上方に位置するとともに、浄化手段が原水貯蔵部に接続する原水接続口が、浄化手段が浄水貯蔵部に接続する浄水接続口よりも下方に位置している請求項１に記載の携帯型浄水器。
【請求項３】
前記浄化手段と原水貯蔵部との流路に止水手段が設けられている請求項１または２に記載の携帯型浄水器。
【請求項４】
原水貯蔵部を減圧する減圧手段を有する請求項１〜３のいずれか一項に記載の携帯型浄水器。
【請求項５】
原水貯蔵部の開口を閉塞する第１の蓋体と、第１の蓋体の上方を覆う第２の蓋体とを有する請求項１〜４のいずれか一項に記載の携帯型浄水器。
【請求項６】
前記浄化手段を収納する浄化手段収納部が第１の蓋体と一体的に成形され、前記浄水貯蔵部が第２の蓋体と一体的に成形されている請求項５に記載の携帯型浄水器。
【請求項７】
前記浄水貯蔵部の容量（Ｓ２）と原水貯蔵部の容量（Ｓ１）の比（Ｓ２／Ｓ１）は、０．０３以上、０．５以下である請求項１〜６のいずれか一項に記載の携帯型浄水器。
【請求項８】
前記吐水手段は、浄水貯蔵部の側壁の一部を上方に向けて傾斜させた傾斜壁により吐水口として形成されている請求項１〜７のいずれか一項に記載の携帯型浄水器。
【請求項９】
前記浄化手段として、吸着剤と殺菌セラミックを備えるものを使用する請求項１〜８のいずれか一項に記載の携帯型浄水器。
【発明の詳細な説明】
【技術分野】
【０００１】
本発明は、携帯型浄水器に関するものである。
【背景技術】
【０００２】
浄水器としては、例えば、水道水の蛇口に直結して使用する蛇口直結型のもの、蛇口の内部に一体的に設置する蛇口一体型のもの、蛇口または蛇口に設けた分岐水栓からホースまたは配管などで接続して、蛇口近傍に設置する据え置き型のもの、シンクの内部に設置して使用するアンダーシンク型のもの、家庭や飲食店などの屋内、あるいは、屋外に持運んで使用できる携帯型のもの（例えば、ピッチャー型浄水器、ポット型浄水器）などが知られている。例えば、特許文献１，２は、携帯型浄水器を開示する。
【０００３】
特許文献１には、上方に開口が設けられた有底の容器と、前記容器開口を塞ぐ蓋体と、前記容器内に収容されて原水を浄化する浄水カートリッジとを備え、前記蓋体は、前記容器開口を塞ぐ板状体からなる閉蓋を有し、該閉蓋は、その表裏面を貫通して前記容器内へ連通する２個の第１、第２の連通孔が穿設されて、前記第１の連通孔を含めた箇所に前記閉蓋と一体形成のポンプ装着部が設けられ、前記ポンプ装着部に加圧ポンプ装置が装着され、前記第２の連通孔を含めた箇所の前記閉蓋の表面側に前記閉蓋と一体形成のノズル装着部に漏水防止手段を有する注水ノズル手段及び前記閉蓋の裏面側に前記閉蓋と一体形成のカートリッジ装着部に前記浄水カートリッジが装着されて、該蓋体と前記容器開口とが密封手段を介して開閉自在に結合されていることを特徴とするピッチャー型浄水器が開示されいている。
【０００４】
特許文献２には、中空のケース体である定位台、固定蓋、ピストン棒、ピストン、バルブ片、シリンダ体を備える加圧装置、及び収容設置ケース体と該収容設置ケース体内部に各種の濾過材、鉱物質添加材からなる数個のろ過層を収容したろ過器、及び上方が開放状態を呈する容器であるポット本体からなり、該定位台上方には、該ポット本体上方に対応して嵌設可能な嵌合部と該嵌合部より上方へと拡大延伸した嵌合部とが形成された加圧式ろ過ポットが開示されている。特許文献２の加圧式ろ過ポットは、ポット本体内に水を注水し、ピストンを操作して空気を圧送することにより、ろ過器内に水を送り込んで、ろ過層に速やかに透過することにより効果的にろ過し、有用な鉱物成分を添加することができる。
【先行技術文献】
【特許文献】
【０００５】
【特許文献１】特開２０１０−２４７１２９号公報
【特許文献２】登録実用新案第３１５０９４７号公報
【発明の概要】
【発明が解決しようとする課題】
【０００６】
浄水器は、水道水に含まれる異物、細菌、微生物、塩素などを除去して浄水を作る。水道水には、殺菌能力の高い塩素が含まれているが、塩素臭がして飲みにくいと感じる場合がある。浄水器で塩素を除去することにより、飲みやすい浄水が得られるが、浄水の殺菌能力が低下する。特に、浄水を貯蔵するタイプの浄水器では、浄水に細菌や微生物などが繁殖して、水質を低下させるという問題がある。特許文献１の浄水器は、このような問題を解決するものであり、浄水を貯蔵する貯蔵部を有さず、注水毎に原水を浄化して供給することを目的としている。しかしながら、注水する度に原水を浄化する必要があり、ろ過に時間を要するため、使い勝手が悪いという問題がある。特許文献２のろ過ポットは、原水を貯蔵するタンクが、浄水を貯蔵するタンクの上部に位置するため、原水が自重でろ過されて浄水貯蔵タンクに流入するおそれがある。原水の自重によって浄化された浄水が浄水貯蔵タンク内で数日間貯蔵されると、細菌、微生物などが繁殖するおそれがある。
【０００７】
本発明は、上記事情に鑑みてなされたものであって、衛生的に貯蔵した浄水を直ぐに供給でき、さらに、原水を短時間で浄水にすることができる携帯型浄水器を提供することを課題とする。
【課題を解決するための手段】
【０００８】
本発明の携帯型浄水器は、開口を有する原水貯蔵容器と、前記原水貯蔵容器の開口を閉塞する少なくとも一層の蓋体と、前記原水貯蔵容器の開口を蓋体で閉塞することによって形成される原水貯蔵部と、前記原水貯蔵部を加圧する加圧手段と、前記原水貯蔵部に接続し、原水を浄化する浄化手段と、前記浄化手段が浄化した浄水を貯蔵する浄水貯蔵部と、前記浄水貯蔵部から浄水を吐水する吐水手段とを有することを特徴とする。
【０００９】
前記浄水貯蔵部の底部が、原水貯蔵部の底部よりも上方に位置するとともに、浄化手段が原水貯蔵部に接続する原水接続口が、浄化手段が浄水貯蔵部に接続する浄水接続口よりも下方に位置していることが好ましい。また、前記浄化手段と原水貯蔵部の流路に止水手段が設けられていることが好ましい。斯かる構成を採用することにより、原水が自重によって浄化された浄水が、浄水貯蔵部に流入するのを抑制することができる。
【発明の効果】
【００１０】
本発明によれば、浄水を衛生的に貯蔵できる。そのため、浄水が必要な時に待つことなく、すぐに供給することができる。本発明によれば、予め浄化しておいた浄水が不足した場合にも、短時間で原水を浄水にすることができる。本発明の浄水器は、小型化が可能である。
【図面の簡単な説明】
【００１１】
【図１】本発明の好ましい実施形態の要部を示す縦断面図である。
【図２】本発明の好ましい実施形態（第１実施形態）の縦断面図である。
【図３】第１実施形態における蓋体と原水貯蔵容器との係合状態を示す縦断面図である。
【図４】第１実施形態における加圧手段を示す縦断面図である。
【図５】第１実施形態における浄化手段を示す縦断面図である。
【図６】第１実施形態で使用する逆止弁の縦断面図である。
【図７】（ａ）第１実施形態の浄水貯蔵部を示す縦断面図である。（ｂ）（ａ）のＡ−Ａ断面図である。
【図８】第１実施形態で使用する減圧手段を示す縦断面図である。
【図９】第２実施形態で使用する加圧・減圧手段を示す縦断面図である。
【図１０】第３実施形態で使用する浄化手段を模式的に示す縦断面図である。
【発明を実施するための形態】
【００１２】
本発明の携帯型浄水器は、開口を有する原水貯蔵容器と、前記原水貯蔵容器の開口を閉塞する少なくとも一層の蓋体と、前記原水貯蔵容器を蓋体で閉塞することによって形成される原水貯蔵部と、前記原水貯蔵部を加圧する加圧手段と、前記原水貯蔵部に接続し、原水を浄化する浄化手段と、前記浄化手段が浄化した浄水を貯蔵する浄水貯蔵部と、前記浄水貯蔵部から浄水を吐水する吐水手段とを有することを特徴とする。以下、図面を参照しながら本発明について説明するが、本発明の携帯型浄水器は、図面に示された態様に限定されるものではない。
【００１３】
図１は、本発明の携帯型浄水器の要部を示す縦断面図である。携帯型浄水器１０Aは、開口１０３を有する原水貯蔵容器１と、前記原水貯蔵容器１の開口１０３を閉塞する第１の蓋体２と、前記第１の蓋体２の上方を覆う第２の蓋体３と、前記原水貯蔵容器１の開口１０３を第１の蓋体２で閉塞することによって形成された原水貯蔵部４と、前記原水貯蔵部４を加圧する加圧手段５と、前記原水貯蔵部４に接続し原水を浄化する浄化手段６と、前記浄化手段６が浄化した浄水を貯蔵する浄水貯蔵部７と、前記浄水貯蔵部７から浄水を吐水する吐水手段８とを有することを特徴とする。
【００１４】
（１）原水貯蔵容器
原水貯蔵容器１は、原水が貯蔵される容器である。原水貯蔵容器１は、底部１０１と底部１０１の周囲から上方へ所定高さ立設された側壁１０２を有し、上方に開口１０３が形成された容器である。原水貯蔵容器１の開口１０３の内径は、底部１０１の内径よりも少し大きく形成されることが好ましい。底部１０１の平面形状は、特に限定されず、例えば、円形状、矩形状などが挙げられる。原水貯蔵容器１の形状としては、例えば、円柱状、多角柱状、円錐状の有底中空形状が挙げられる。原水貯蔵容器１の材質としては、樹脂製とするのがよく、ソフトセグメントとハードセグメントとからなる樹脂でもよい。また熱可塑性樹脂や熱硬化性樹脂のいずれも使用できるが、成形加工性を良くする為に熱可塑性樹脂を用いるのが好ましい。また樹脂種としては、ポリスチレン（ＰＳ）、アクリロニトリルブタジエンスチレン（ＡＢＳ）、ポリプロピレン（ＰＰ）等を用いるのがよく、原水貯蔵容器として必要とされる強度や耐衝撃性を高め、優れた透明度を確保し、また材料コストを抑える為に、ポリスチレンを用いることが好ましい。
【００１５】
（２）蓋体
本発明の携帯型浄水器は、前記原水貯蔵容器１の開口１０３を閉塞する少なくとも一層の蓋体を有する。蓋体は、一層で形成されてもよく、あるいは、二層以上で形成されてもよい。図１に示した態様では、第１の蓋体２が、原水貯蔵容器１の開口１０３を塞ぐ内蓋として設けられ、第２の蓋体３が、第１の蓋体２の上方を覆うカバーとして設けられている。第１の蓋体２が原水貯蔵容器１の開口１０３を塞ぐことによって、原水貯蔵部４が形成される。第１の蓋体２の平面形状は、原水貯蔵容器１の開口１０３に係合する形状であれば特に限定されない。図１に示した態様では、第１の蓋体２と第２の蓋体３とが別体として示されているが、これらは一体的に成形されてもよい。第１および第２の蓋体の材質としては、樹脂製とするのがよく、ソフトセグメントとハードセグメントとからなる樹脂でもよい。また熱可塑性樹脂や熱硬化性樹脂のいずれも使用できるが、成形加工性を良くする為に熱可塑性樹脂を用いるのが好ましい。また樹脂種としては、アクリロニトリルブタジエンスチレン（ＡＢＳ）、ポリプロピレン（ＰＰ）、ポリアセタール（ＰＯＭ）等を用いるのがよく、耐屈曲性を高め、外観性を良くし、また材量コストを抑える為に、ポリプロピレンを用いることが好ましい。
【００１６】
（３）原水貯蔵部
本発明の携帯型浄水器は、前記原水貯蔵容器１の開口１０３を蓋体で閉塞することによって形成される原水貯蔵部４を有する。原水貯蔵部４には、水道水、井戸水などの原水が貯蔵される。原水貯蔵部４の容量（Ｓ１）は、０．５Ｌ以上が好ましく、１Ｌ以上がより好ましく、１．５Ｌ以上がさらに好ましい。原水貯蔵部４の容量（Ｓ１）が、０．５Ｌ以上であれば、外出時に原水が早期になくなることがなく、原水の補給頻度が少なくなる。また、大型化せずに、携帯性を高める観点から、原水貯蔵部４の容量（Ｓ１）は、４Ｌ以下が好ましく、３Ｌ以下がより好ましく、２．５Ｌ以下がさらに好ましい。
【００１７】
（４）加圧手段
本発明の携帯型浄水器は、前記原水貯蔵部４を加圧する加圧手段５を有する。加圧手段５で原水を加圧することにより、原水を短時間で浄化手段６を通過させることができる。前記加圧の方法としては、例えば、空気圧または水圧による加圧が挙げられ、空気圧による加圧が好ましい。前記加圧手段５としては、ポンプを使用するのがよい。ポンプとしては駆動力を手動とした手動型ポンプや、駆動力として電力を用いた電力型ポンプを使用できるが、携帯型浄水器の小型化、軽量化、低コスト化や電池切れの問題を無くす為に、手動型ポンプを用いるのが良い。また、一定の容積を持つ空間の容積空間部を変化させて流体を送り出す容積型ポンプや、羽根車をケース内で回転させて流体を送り出すターボ型ポンプ等を使用できるが、手動型ポンプとしても十分な流体の送り出しを可能とする為には容積型ポンプ、つまり手動型且つ容積型のポンプとするのが良い。容積型ポンプとしては、蛇腹状の容積空間部を変化させて流体を送り出す蛇腹型ポンプ、シリンダー内に配置したピストンを往復させて流体を送り出すピストン型ポンプ、プランジャーを往復させて流体を送り出すプランジャー型ポンプ、ダイヤフラムを運動させて流体を送り出すダイヤフラム型ポンプ等を用いることができるが、携帯型浄水器の小型化、軽量化、低コスト化、手動操作を容易化する為には蛇腹型ポンプを用いるのがよく、よって、手動型且つ蛇腹型のポンプを用いるのがよい。前記加圧手段５は、原水貯蔵部４を加圧するように設置されれば、携帯型浄水器１０Ａのいずれの箇所に設置してもよく、例えば、蓋体２、原水貯蔵容器１の側壁１０２、あるいは、原水貯蔵容器１の内部に設置してもよい。なお、ポンプを使用する代わりに、外部から加圧された流体を導入する構成にしても良い。加圧された流体としては空気や水を使用できるが、多くの場所で使用可能となるので、流体として水道水を使用するのがよい。水道水を使用する場合は、原水貯蔵部を密閉状態にした状態で水道水を原水貯蔵部に供給することにより、原水貯蔵部への原水の供給と加圧を同時に行うことができる。なお、外部から加圧された流体を導入する構成とした場合には、携帯型浄水器を屋外等に持ち出した時などに加圧できないので、ポンプを用いる方が好ましい。
【００１８】
（５）浄化手段
本発明の携帯型浄水器は、前記原水貯蔵部４に接続し、原水を浄化する浄化手段６を備える。前記浄化手段６としては、例えば、吸着剤、中空糸膜、殺菌セラミックなどを備えるものが好ましい。吸着剤、中空糸膜、殺菌セラミックなどを備えることにより、原水に含まれる塩素、重金属、トリハロメタンなどの有機物、細菌、微生物、その他の異物などを除去することができる。
【００１９】
前記吸着剤としては、粉末状吸着剤、この粉末状吸着剤を造粒した粒状吸着剤、繊維状吸着剤などが挙げられる。このような吸着剤としては、例えば天然物系吸着剤（天然ゼオライト、銀ゼオライト、酸性白土等）、合成物系吸着剤（合成ゼオライト、細菌吸着ポリマー、リン鉱石、モレキュラーシーブ、シリカゲル、シリカアルミナゲル系吸着剤、多孔質ガラス等）などの無機質吸着剤、粉末状活性炭、粒状活性炭、繊維状活性炭、ブロック状活性炭、押出成形活性炭、成形活性炭、分子吸着樹脂、合成物系粒状活性炭、合成物系繊維状活性炭、イオン交換樹脂、イオン交換繊維、キレート樹脂、キレート繊維、高吸収性樹脂、高吸水性樹脂、吸油性樹脂、吸油剤などの有機系吸着剤等、公知のものが挙げられる。なかでも、原水中の残留塩素やカビ臭、トリハロメタンなどの有機化合物の吸着力に優れた活性炭が好適に用いられる。
【００２０】
繊維状活性炭は、嵩体積が大きく、通水抵抗が小さいとともに、嵩体積が大きいことで、体積当たりの表面積が大きくなるので、初期の浄化性能に優れるが、使用時間の経過による浄化性能の低下が大きい。繊維状活性炭の長さは、０．１ｍｍ以上が好ましく、０．２ｍｍ以上がより好ましく、０．３ｍｍ以上がさらに好ましく、１ｍｍ以下が好ましく、０．８ｍｍ以下がより好ましく、０．６ｍｍ以下がさらに好ましい。０．１ｍｍ未満では小さすぎ、使用時に黒粉が発生する原因となり易い。また１ｍｍより大きくなると、混合物において過度な隙間を生じやすくなり、混合物全体の密度が小さくなり充填量が不足しやすい。
【００２１】
粒状活性炭は、嵩体積が小さいとともに通水抵抗が大きいため、初期の浄化性能は繊維状活性炭に劣るが、使用時間の経過による浄化性能の低下が小さい。粒状活性炭の粒径は、４０メッシュパスから２００メッシュパスの間が好ましい。４０メッシュをパスしない場合、粒状活性炭が大きくなり、体積に対する表面積の割合が小さくなり、水との接触効率が低下するため浄化性能が不足する。さらに５０メッシュパス以上が好ましく、特に６０メッシュパス以上が好ましい。また、２００メッシュより大きいメッシュ（例えば、２５０メッシュ）をパスすると、粒状活性炭が小さすぎ、使用時に黒粉が発生する原因となり易い。よって、さらに１４０メッシュパス以下が好ましく、特に１２０メッシュパス以下が好ましい。
【００２２】
時間当たりの浄化性能を高める観点では、繊維状活性炭を使用するのが好ましい。また使用時間の経過による浄化性能の低下を抑える観点では、粒状活性炭を使用するのが好ましい。繊維状活性炭によって初期の浄化能力を高めるとともに、粒状活性炭によって長期にわたって浄化性能を維持するため、繊維状活性炭と粒状活性炭とを併用することが望ましい。併用する場合の混合比率は、繊維状活性炭と粒状活性炭の質量比（繊維状活性炭／粒状活性炭）が、０．３〜５０の範囲が好ましい。上記混合比率が０．３未満では初期の浄化性能が不足しやすく、５０より大きくなると長期使用による浄化性能低下が起こりやすい。上記混合比率は、１以上がより好ましく、５以上がさらに好ましく、１０以上が特に好ましい。また、３０以下がより好ましく、２０以下がさらに好ましい。
【００２３】
前記浄化手段６は、前記吸着剤に加え、殺菌効果を備える殺菌材、例えば殺菌セラミックを備えることが好ましい。衛生面をさらに高めることができる。殺菌セラミックは、例えば、リン酸カルシウムを母体として酸化亜鉛、モンモリロナイト等を混合して粒状あるいはペレット状に焼結したものに銀あるいは銅等を吸着したもので、その表面に水中の有害な細菌類を吸着して殺菌するとともに金属イオンを放出して水中の有害な細菌類を殺菌または滅菌し、水質を無害化する。
【００２４】
前記浄化手段６は、中空糸膜を備えてもよい。中空糸膜により、微生物及び細菌を含む０．１μｍ以上の粒状体が濾過、除去される。中空糸膜には種々の多孔質且つ管状の中空糸膜が使用でき、例えば、セルロース系、ポリオレフィン（ポリエチレン、ポリプロピレン）系、ポリビニルアルコール系、エチレン・ビニルアルコール共重合体、ポリエーテル系、ポリメタクリル酸メチル（ＰＭＭＡ）系、ポリスルフォン系、ポリアクリロニトリル系、ポリ四弗化エチレン（テフロン（登録商標））系、ポリカーボネート系、ポリエステル系、ポリアミド系、芳香族ポリアミド系などの各種材料からなるものが使用できる。なかでも、中空糸膜の取扱い性や加工特性等、更には廃棄時に焼却可能であることなどを考慮すると、ポリエチレンやポリプロピレン等のポリオレフィン系の中空糸膜が好ましい。
【００２５】
前記浄化手段６は、例えば、活性炭などの吸着剤を所定の形状に成形したカートリッジとすることが好ましい。浄化手段６をカートリッジとすることにより、浄化性能が低下したときに交換が容易になる。成形時には、熱可塑性樹脂や熱硬化性樹脂などのバインダーが用いられてもよい。浄化手段６の形状としては、特に限定されず、中空円筒状、円板状、若しくは、円柱状などが挙げられ、中空円筒状が好ましい。浄化手段６を中空円筒状のカートリッジとすれば、カートリッジを原水が透過するときに、吸着剤の一部のみに水が集中して浄水能力が早期に低下する、いわゆる水道（みずみち）現象の発生を抑制することができる。中空円筒状に成形したカートリッジからなる浄化手段は、円筒の内側を原水流路とし、円筒の外側を浄水流路としてもよいし、円筒の外側を原水流路とし、円筒の内側を浄水流路としてもよい。浄化手段６として、中空糸膜を用いる場合は、中空糸膜をケーシング内部に充填したカートリッジを用いることが好ましい。
【００２６】
（６）浄水貯蔵手段
本発明の携帯型浄水器は、前記浄化手段６が浄化した浄水を貯蔵する浄水貯蔵部７を備える。前記浄水貯蔵部の容量（Ｓ２）は、１００ｍL以上が好ましく、１５０ｍL以上がより好ましく、２００ｍL以上がさらに好ましく、３００ｍL以下が好ましく、２５０ｍL以下がより好ましく、２００ｍL以下がさらに好ましい。前記浄水貯蔵部の容量が小さいと、１回の吐水量が少なくなる。また浄水貯蔵部の容量が大きいと、吐水残し（飲み残し）が起こりやすくなる。その結果、浄水の貯蔵期間が長くなる場合がある。
前記浄水貯蔵部の材質は、樹脂製とするのがよく、ソフトセグメントとハードセグメントとからなる樹脂でもよい。また熱可塑性樹脂や熱硬化性樹脂のいずれも使用できるが、成形加工性を良くする為に熱可塑性樹脂を用いるのが好ましい。また樹脂種としては、ポリスチレン（ＰＳ）、アクリロニトリルブタジエンスチレン（ＡＢＳ）、ポリプロピレン（ＰＰ）等を用いるのがよく、浄水貯蔵部として必要とされる強度や、優れた透明度を確保し、また材料コストを抑える為に、ポリスチレンを用いることが好ましい。
【００２７】
前記浄水貯蔵部の容量（Ｓ２）と原水貯蔵部の容量（Ｓ１）の比（Ｓ２／Ｓ１）は、０．０３以上が好ましく、０．０５以上がより好ましく、０．０８以上がさらに好ましく、０．５以下が好ましく、０．３以下がより好ましく、０．２以下がさらに好ましい。浄水貯蔵部の容量（Ｓ２）と原水貯蔵部の容量（Ｓ１）の比が、上記範囲内にあれば、原水の補給頻度を少なくすることができ、また、吐水残しなどが起こりにくくなる。
【００２８】
（７）吐水手段
本発明の携帯型浄水器は、前記浄水貯蔵部７から浄水を吐水する吐水手段８を有する。吐水手段としては、浄水貯蔵部７に連通する吐水管、浄水貯蔵部７に一体的に形成された吐水口などを挙げることができる。吐水管は、例えば、浄水器あるいは浄水貯蔵部７に着脱自在に結合されてもよい。なお、吐水手段に加えて、吐水手段と一体に、吐水手段と浄水貯蔵部との間に、または吐水手段の下流側（吐水開口側）に、開閉手段を設けることもできる。開閉手段としては、開閉弁や、吐水開口に脱着可能に配置する閉止部材とする事ができ、閉止部材としては、例えば、吐水開口部に螺子機能により脱着可能に配置されるキャップ部材とすることができる。開閉手段を設けることにより、本発明の携帯型浄水器を持ち運んだり、倒したりしたときに、使用者の意図なく浄水が吐水するのを防止できる。
【００２９】
本発明の携帯型浄水器は、さらに原水貯蔵部４の圧力を低下させる減圧手段を備えていることが好ましい。減圧手段を備えることによって、原水貯蔵部４を加圧し過ぎた場合に、原水貯蔵部４の圧力を低下させることができる。減圧手段としては、加圧下の原水貯蔵部４を大気圧に戻すことができるものであれば、特に限定されるものではなく、例えば、エア抜き弁、エア抜き装置が挙げられる。
【００３０】
本発明の携帯型浄水器は、加圧手段５により原水貯蔵部４を加圧しない場合でも、原水が、自重により浄化されて、得られた浄水が、浄化手段６を収納する収納部、および、浄水貯蔵部７に流入する場合がある。浄化手段収納部および浄水貯蔵部７に浄水が貯留した状態で、数日間放置すると、細菌や微生物が繁殖する場合があり、衛生的に好ましくない。従って、本発明では、原水の自重により浄化された浄水が、浄化手段収納部および浄水貯蔵部７に流入するのを防止することが好ましい。このような観点から、浄化手段６が原水貯蔵部４に接続する原水接続口２１０が、浄化手段６が浄水貯蔵部７に接続する浄水接続口７０３よりも下方に位置していることが好ましい。すなわち、浄化手段６において、原水処理の流れを下方から上方へとすることが好ましい。浄化手段６の原水処理流れを上方から下方へとすると、原水が自重により浄化されやすくなり、浄水貯蔵部７に流入しやすくなるからである。
【００３１】
また、本発明の携帯型浄水器は、前記浄水貯蔵部７の底部７０７が、原水貯蔵部４の底部１０１よりも上方に位置することが好ましい。原水貯蔵部４に貯蔵されている原水の水面が、浄水貯蔵部７の底部７０７よりも下方に位置している限り、原水が自重により浄化されたとしても、浄水が浄水貯蔵部７に流入することが抑制される。また、浄水貯蔵部７の底部７０７を、原水貯蔵部４の上部（例えば、第１の蓋体２）よりも上方に位置させることがさらに好ましい。このように構成することにより、原水貯蔵部４に貯蔵されている原水の水面が、浄水貯蔵部７の底部７０７より上方に位置することがなく、原水が自重により浄化されても、浄水が、浄水貯蔵部７に流入することが抑制される。
【００３２】
また、本発明の携帯型浄水器は、前記浄化手段６と原水貯蔵部４の流路に止水手段を設けることも好ましい。前記止水手段としては、例えば、逆止弁が好ましい。この逆止弁としては、原水の自重による圧力が付加されても開かないものが好ましい。
【００３３】
次に、本発明の携帯型浄水器の作用について説明する。原水は、原水貯蔵容器１の開口１０３から注水する。注水後、第１の蓋体２で、原水貯蔵容器１の開口１０３を閉塞して、原水貯蔵部４を密閉し、第２の蓋体３を装着する。加圧手段５により原水貯蔵部４を加圧することにより、加圧された原水が、浄化手段６に流入する。浄化手段６により、塩素、重金属、トリハロメタンなどの有機物、細菌、微生物、その他の異物などが除去される。浄化された浄水は、浄水貯蔵部７に流入し、貯蔵される。
【００３４】
以下、本発明の携帯型浄水器の好ましい実施形態を、さらに具体的に説明する。図２には、本発明の好ましい実施形態である携帯型浄水器１０Ｂ（第１実施形態）を示した。
【００３５】
図２に示すように、原水貯蔵容器１は、底部１０１と、底部１０１の周囲から上方へ所定高さ立設された側壁１０２とを有し、上方に開口１０３が形成された容器である。底部１０１の形状は、円形状である。原水貯蔵容器１の開口１０３の内径は、底部１０１の内径よりも少し大きく、側壁１０２には、開口１０３に向かって口径が広がるようにテーパーが付けられている。図３（ａ）、（ｂ）に示すように、側壁１０２の上端部１０４の外周面には、Ｏリングなどのシール部材１０５を嵌着させるための溝１０６が周設されている。前記溝１０６の下方には、第２の蓋体３と原水貯蔵容器１とを係止するための突起部１０７が形成されている。前記突起部１０７は、側壁１０２の外周面から外方へ所定高さ突出している。なお、当実施形態では、底部１０１の形状および側壁１０２を水平面でカットした断面形状を共に円形状としたが、この両形状は、略円形状、略楕円状、略長円状、略多角形形状等の様々な形状とすることができる。多角形形状としては、正方形若しくは長方形等の四角形、五角形、六角形等を採用しうる。なお、原水貯蔵部を清掃しやすくする観点では、円形状、楕円形状または長円形状とするのがよい。
【００３６】
図２に示すように、原水貯蔵容器１の開口１０３を塞ぐ第１の蓋体２には、加圧手段装着部２０１、減圧手段装着部２０２が設けられている。加圧手段装着部２０１には、原水貯蔵部４を加圧する加圧手段５が設置され、減圧手段装着部２０２には、原水貯蔵部４を減圧する減圧手段９が設置されている。加圧手段装着部２０１は、第１の蓋体２の上面２ａから所定高さ突出し、両端に開口を有する筒状部２０４に形成されている。減圧手段装着部２０２は、第１の蓋体２の上面２ａから所定高さ突出し、両端に開口を有する筒状部２０５に形成されている。筒状部２０４，２０５は、それぞれ、原水貯蔵部４に連通している。
【００３７】
図２に示すように、第１の蓋体２には、浄化手段６を収納する浄化手段収納部２０６が形成され、第２の蓋体３と一体的に成形された浄水貯蔵部７の下部に設けられている。浄化手段収納部２０６は、第１の蓋体２の下面２ｂから所定長さ突出した側壁２０７を有する有底筒状に形成されている。底部２０８には、底部２０８から下方に向かって凸状に形成された接続部２０９が形成され、接続部２０９には原水貯蔵部４に連通する原水接続口２１０が設けられている。原水接続口２１０には、原水貯蔵容器１の底部１０１まで伸びる給水チューブ２１１が設けられている。
【００３８】
第１実施形態では、浄化手段収納部２０６と浄水貯蔵部７とが、第１の蓋体２の上方に設けられているので、第１の蓋体２と第２の蓋体３とを取り外すことにより、原水貯蔵部４を容易に洗浄することができる。
【００３９】
図２、および、図３（ａ）、（ｂ）に示すように、前記第１の蓋体２の外周には、蓋体２の下方へ突出する係合部２１２が形成されている。係合部２１２の内周面には、Ｏリングなどのシール部材１０５を嵌着させるための溝２１３が形成されている。係合部２１２の内径と原水貯蔵容器１の上端部１０４の外径は、ほぼ等しい。係合部２１２の内周面が原水貯蔵容器１の上端部１０４の外周面に当接し、シール部材１０５が第１の蓋体２と原水貯蔵容器１との間を密封するようになっている。係合部２１２の下端部からは、外方に所定長さ突出する突部２１４が形成されている。突部２１４は、第２の蓋体３の第２側壁３０３の内周面に当接するように設けられている。
【００４０】
図２に示すように、第２の蓋体３には、加圧手段５と減圧手段９とを設置するための開口がそれぞれ設けられている。また、図３（ａ）、（ｂ）に示すように、第２の蓋体３は、板状体３０１と板状体３０１の周囲から下方へ延設した第１側壁３０２と、第１側壁の外周面に沿って下方へ突出する第２側壁３０３とを有する。第２側壁３０３の厚みを、第１側壁３０２の厚みよりも薄くすることにより、第１側壁の内周面側には、下端部３０４が形成されている。
【００４１】
図３（ａ）、（ｂ）に示すように、第２側壁３０３の外周面には、原水貯蔵容器１の突起部１０７に係止する係止爪３０５が設けられている。係止爪３０５は、下端に、内側に向かって突出する突出部３０６を有する。第２の側壁３０３と係止爪３０５は、一体に成形しても、別体に成形して接着剤やその他固定手段で固定状態で結合したり、別体に成形して、ヒンジ等で繋いで可動状態で結合してもよい。なお、原水貯蔵容器１と第２の蓋体３の脱着の繰り返しに対する耐久性を高めるために一体的に成形するのがよい。なお、係止爪３０５の耐屈曲性を高めるために、係止爪３０５をポリプロピレン製とするのがよく、より好ましくは、第２の側壁３０３と係止爪３０５を一体に成形して、第２の蓋体３をポリプロピレン製とするのがよい。
【００４２】
第２の蓋体３の係止爪３０５が原水貯蔵容器１の突起部１０７に係止することにより、第１の蓋体２と、第２の蓋体３と、原水貯蔵容器１とが固定される。すなわち、第２の蓋体３の第１側壁３０２の下端部３０４が、第１の蓋体２の係合部２１２の上面を押圧し、係止爪３０５の突出部３０６の上面が、原水貯蔵容器１の突起部１０７の下面を押圧して、第１の蓋体２の係合部２１２と、原水貯蔵容器１の突起部１０７が、第２の蓋体３に固定される。また、第２の蓋体３の第２側壁３０３の内周面が、第１の蓋体２の係合部２１２の下端に設けられた突部２１４を押圧する。この押圧により、第２の蓋体３の係合部２１２の内周面と、原水貯蔵容器１の側壁１０２の上端１０４の外周面とが当接して、シーリング部材１０５により密封される。
【００４３】
本発明の携帯型浄水器１０Ｂは、原水貯蔵部４を加圧する加圧手段５として、ポンプ５０１を備える。図４に示すように、前記ポンプ５０１は、蛇腹状のポンプ本体５０２と、ポンプ本体５０２を収納するケーシング５０３と、ポンプ本体５０２を押圧するキャップ５０４とを有する。ポンプ本体５０２の下方には、第１の蓋体２と接続するための円筒状の接続部５０５が設けられており、接続部５０５の外周面には、外ネジヤマ５０６が設けられている。ポンプ５０１は、第１の蓋体２の装着部２０４に差し込まれた接続部材２２２に取り付ける。接続部材２２２は、ポンプ５０１に接続するための筒状のポンプ側接続端２２２ａと、装着部２０４の内周面に差し込むための筒状の装着部側接続端２２２ｂとを有する。装着部側接続端２２２ｂを装着部２０４に差し込み、接続部材２２２を第１の蓋体２に固定する。装着部側接続端２２２ｂの外周面と装着部２０４の内周面とは、Ｏリングなどのシーリング部材２２４で密封される。ポンプ側接続端２２２ａの内周面には、ポンプ５０１の接続部５０５の外ネジヤマ５０６に螺合する内ネジヤマが形成されており、これらを螺合することによって、ポンプ５０１を接続部材２２２に取り付ける。ポンプ５０１の接続部５０５の外周面とポンプ側接続端２２２ａの内周面とは、Ｏリングなどのシーリング材２２６で密封される。ポンプ５０１と装着部２０４と接続部材２２２は、袋ナット２２０を締め付けることで固定される。ポンプ本体５０２の下方に設けられた接続部５０５には、逆止弁５０７が配置されている。逆止弁５０７は、「ポンプ５０１で加圧する状態ではポンプ５０１から原水貯蔵部４に通じる空気流路を形成して空気を送り込み可能とし、」、且つ、「ポンプ５０１で加圧していない状態では空気流路を閉じて、つまり、原水貯蔵部４とポンプ５０１の間をシールする」ものである。なお、ポンプ本体５０２の圧力と原水貯蔵部４の圧力が同じ状態、例えば、ポンプ本体５０２の圧力と原水貯蔵部４の圧力が共に大気圧の状態では、「空気流路を形成した状態」としても、「空気流路を閉じて、つまり、原水貯蔵部４とポンプの間をシールした状態」としても、いずれも採用可能である。但し、携帯型浄水器を倒したときなどにおいて、原水貯蔵部４内の原水がポンプ５０１内に侵入するのを防止する為に、「空気流路を閉じて、つまり、原水貯蔵部４とポンプの間をシールした状態」とするのがよい。
【００４４】
本発明の携帯型浄水器１０Ｂは、原水を浄化する浄化手段６として、水質浄化カートリッジ６０１を使用している。図５は、浄化手段収納部２０６に収納された浄化手段６の拡大断面図である。水質浄化用カートリッジ６０１は、軸方向に長い貫通孔（中央空間部６２４）を有する円筒状に形成した活性炭等の吸着剤からなるカートリッジ本体６２０と、カートリッジ本体６２０の下流端に取り付けられる合成樹脂製の下流端閉鎖部材６２１と、カートリッジ本体６２０の上流端に取り付けられる合成樹脂製の上流端接続部材６２２と、格子状隔壁６２６とを有する。カートリッジ本体６２０は、活性炭を主成分とし、円筒状に固めたもので、外周と内周との間を原水が透過するときに、水中に溶解した化学成分や浮遊している微細な固形物質が吸着または濾過される。円筒状のカートリッジ本体６２０を採用することにより、原水がカートリッジを透過するときに活性炭の一部のみに水が集中して浄水能力が早期に低下する、いわゆる水道（みずみち）現象の発生を抑制することができる。
【００４５】
カートリッジ本体６２０の内側の原水流路には、格子状の隔壁６２６が設けられている。格子状隔壁６２６を設けることにより、原水をカートリッジ本体６２０の全体に拡散できる。
【００４６】
下流端閉鎖部材６２１は、カートリッジ本体６２０の下流側の端面および外周面を覆う有底短円筒状に形成されてカートリッジ本体６２０の下流側の端面を閉鎖するとともに、底部からは中央空間部６２４に嵌入する柱部６２１ａが突設され、カートリッジ本体６２０に強固に取り付けられる。
【００４７】
上流端接続部材６２２は、カートリッジ本体６２０の上流側の端面を被覆する大径短円筒状の被覆端６２２ａと、接続部２０９に差し込み固定される小径円筒状の接続端６２２ｂとを両端に形成し、軸方向の中央部には、不織布６２３と粒状あるいはペレット状の殺菌セラミック６２５を収容している。上流端接続部材６２２の被覆端６２２ａは、その内周面でカートリッジ本体６２０の外周面に当接してカートリッジ本体６２０の上流側を被覆する。前記被覆端６２２ａの内側には、カートリッジ本体６２０に内嵌する内筒部６２２ｃが設けられている。
【００４８】
上流端接続部材６２２の接続端６２２ｂは、小径の円筒状に形成されて上流側に突出し、その外周には水の漏れ止め用のＯリング６４０が嵌め込まれている。接続端６２２ｂの内周面には内部通路を横断して形成される一文字状の補強リブ６２２ｄが張り渡されている。
【００４９】
殺菌セラミック６２５は、リン酸カルシウムを母体として酸化亜鉛、モンモリロナイト等を混合して粒状あるいはペレット状に焼結したものに銀あるいは銅等を吸着したもので、その表面に水中の有害な細菌類を吸着して殺菌するとともに金属イオンを放出して水中の有害な細菌類を殺菌または滅菌し、水質を無害化する。殺菌セラミック６２５から放出された金属イオンは、不織布６２３を通じて、内筒部６２２ｃの内側の原水流路へと流入して、殺菌効果を発揮する。例えば、内筒部６２２ｃの下方部に孔など設けてもよい。金属イオンが内筒部６２２ｃ内側の原水流路に流入しやすくなり、殺菌効果を一層高めることができる。また、当実施形態では、殺菌セラミックをカートリッジ本体６２０と不織布６２３の間、つまりカートリッジ本体の上流側に配したが、その他箇所、例えば、カートリッジ本体の内部や、カートリッジ本体の浄水接続口７０３側つまり下流側に配することもでき、さらに、浄水貯蔵部７や原水貯蔵部４等に配することも可能である。
【００５０】
浄化手段６の下方の接続部２０９には、逆止弁６２７が配置されている。前記逆止弁６２７は、前記浄化手段６と原水貯蔵部４の流路に配置されている。図６は、逆止弁６２７を拡大した縦断面図である。逆止弁６２７は、弁座６２８と、弁体６２９と、弁ハウジング６３０ａ、６３０ｂと、コイルスプリング６３１と、Ｏリング６３２とで構成されている。弁体６２９は、コイルスプリング６３１の付勢力により、弁座６２８に押圧され、弁座６２８と弁体６２９とは、Ｏリング６３２で密封される。加圧手段５により、原水貯蔵部４に貯蔵された原水が加圧されると、水圧によって、弁体６２９が、コイルスプリング６３１の付勢力に逆らって押し戻され、原水の流路が形成される。逆止弁６２７は、浄化手段収納部２０６の接続部２０９に押し込むことで取り付けることができ、接続部２０９の内周面と弁ハウジング６３０ｂの外周面とは、Ｏリング６３３によって密封される。
【００５１】
図２に示したように、浄化手段収納部２０６の接続部２０９の原水接続口２１０には、原水貯蔵容器１の底部１０１まで伸びる給水チューブ２１１が設けられている。給水チューブ２１１の原水流入口２１３は、原水貯蔵容器１の底部１０１の近辺に位置させることが好ましい。原水流入口２１３が、原水貯蔵容器１の底部１０１の近辺に位置することにより、原水の量がわずかであっても、原水を浄化手段６に給水することができる。給水チューブ２１１の原水流入口２１３と原水貯蔵容器１の底部１０１との距離Ｌ１は、０．１ｃｍ以上が好ましく、０．３ｃｍ以上がより好ましく、０．５ｃｍ以上が特に好ましく、また２ｃｍ以下が好ましく、１．５ｃｍ以下がより好ましく、１ｃｍ以下が特に好ましい。また、給水チューブ２１１を用いない場合には、浄化手段収納部２０６の原水接続口２１０を原水貯蔵容器１の底部１０１近辺に位置させることが好ましい。給水チューブ２１１を使用しない場合における原水接続口２１０と原水貯蔵容器１の底部１０１との距離Ｌ２は、０．１ｃｍ以上が好ましく、０．２ｃｍ以上がより好ましく、特に０．３ｃｍ以上が好ましく、また２ｃｍ以下が好ましく、１ｃｍ以下がさらに好ましく、０．７ｃｍ以下が特に好ましい。
【００５２】
本発明の携帯型浄水器１０Ｂは、前記浄化手段６が浄化した浄水を貯蔵する浄水貯蔵部７を備える。図７（ａ）は、浄水貯蔵部７の部分を示した拡大縦断面図である。第１実施形態では、浄水貯蔵部７が、第２の蓋体３と一体的に成形され、第１の蓋体２の上部に配置されている。浄水貯蔵部７は、第２の蓋体３の下方に所定長さ突出した筒状の側壁７０１を有している。側壁７０１の下端には、水質浄化カートリッジ６０１からの浄水を受け入れるための浄水接続口７０３が設けられている。浄水貯蔵部７は、浄水接続口７０３を介して、浄化手段収納部２０６と連通している。
【００５３】
図７（ｂ）は、図７（ａ）のＡ−Ａ断面図である。浄水接続口７０３には、側壁７０１の下端において、内周面から突出する格子７０４が設けられている。格子７０４は、浄化手段６の下流端接続部６２１の上面に当接して、浄化手段６を固定する。浄水接続口７０３の中央部は、下流端接続部６２１によって塞がれて、その周囲に浄水が流通するための流通孔７０５が形成されている。浄水貯蔵部７の側壁７０１の下方の外周面と、浄化手段収納部２０６の側壁２０７の上端部の内周面とは、樹脂シールおよびパッキンで密封されている（図示せず）。
【００５４】
本発明の携帯型浄水器１０Ｂは、前記浄水貯蔵部７から浄水を吐水するための吐水手段８を備える。図７（ａ）に示すように、前記吐水手段８は、浄水貯蔵部の側壁７０１の一部が上方に向けて傾斜させた傾斜壁７０６により、吐水口８０１として形成されている。また、吐水口８０１を閉塞するための蓋片が設けられていてもよい。
【００５５】
第１実施形態の携帯型浄水器１０Ｂは、原水貯蔵部を減圧する減圧手段９として、ボタン型エア抜き装置９０１を備えている。図８は、ボタン型エア抜き装置９０１の部分を示す拡大断面図である。ボタン型エア抜き装置９０１は、第１の蓋体２の減圧手段装着部２０２に装着され、必要に応じて原水貯蔵部４の圧力を低下させる。ボタン型エア抜き装置９０１は、両端が開口し内部が中空円筒状の弁ハウジング９０２と、弁ハウジング９０２内に収容される円柱状の弁本体９０３、コイルスプリング９０４と、ボタン９０５とで構成されている。弁ハウジング９０２の内周面には、所定の高さを有する弁座９０６が周設され、その中央部には、弁本体９０３が摺動する開口が形成されている。弁ハウジング９０２の下方端には、第１の蓋体２の下面２ｂに係止するための係止爪９０７が設けられている。弁ハウジング９０２の上方端の外周面には、減圧手段装着部２０５に係止する突起部９０８が周設されている。
【００５６】
弁本体９０３の上部からは、ボタン９０５に係止するための係止爪９０９が立設している。係止爪９０９は、ボタン９０５の脚部９１３に設けられた溝９１４に係止して、ボタン９０５と弁本体９０３とを固定する。弁本体９０３の原水貯蔵部側には弁体９１０が設けられ、弁体９１０と弁本体９０３との間には、Ｏリング９１１を嵌着するための溝９１２が周設されている。弁体９１０を弁座９０６に押し付けるための付勢手段として、コイルスプリング９０４が、弁本体９０３と弁ハウジング９０２の間に収容されている。コイルスプリング９０４は、弁体９１０と、ボタン９０５とを離間させ、弁体９１０を弁座９０６に押し付けるように付勢している。ボタン９０５と弁本体９０３とは、コイルスプリング９０４の付勢力によって上昇し、Ｏリング９１１が弁体９１０によって押圧されて、弁ハウジング９０２の下方に設けられた開口を密閉する。ボタン９０５を押し込むことにより、弁本体９０３が下方に押し込まれて、Ｏリング９１１の密閉が解除されて、弁本体９０３と弁座９０６の隙間から、原水貯蔵部４のエアーを抜くことができる。
【００５７】
次に、図２を参照しながら、第１実施形態の携帯型浄水器１０Ｂの作用について説明する。原水は、原水貯蔵容器１の開口１０３から注水する。注水後、第１の蓋体２で原水貯蔵容器１の開口１０３を閉塞して、原水貯蔵部４を密閉し、第２の蓋体３を装着する。加圧手段５により原水貯蔵部４を加圧することにより、加圧された原水が、給水チューブ２１１の原水流入口２１３に流入する。加圧された原水の水圧によって、逆止弁６２７の弁が開き、原水の流路が形成される。逆止弁６２７を通過した原水は、中空円筒状に成形された水質浄化用カートリッジ６０１の内側に流入し、水質浄化カートリッジの内側に設けられた格子状隔壁６２６によってカートリッジ本体６２０の全体に拡散され、吸着剤からなるカートリッジ本体６２０を通過する（図５）。カートリッジ本体６２０を通過する際に、原水に含まれる塩素、重金属、トリハロメタンなどの有機物、細菌、微生物、その他の異物などが除去され、原水が浄化される。浄化された浄水は、円筒状に成形された水質浄化カートリッジ６０１の外側を流路として、浄水貯蔵部７に流入して貯蔵される。浄水貯蔵部７に貯蔵された浄水は、吐水手段８である吐水口８０１から吐水することができる。
【００５８】
図９を参照して、本発明の第２実施形態に係る携帯型浄水器を説明する。第２実施形態の携帯型浄水器は、加圧手段５と減圧手段６とが一体的に形成されている点が異なるのみで、他の構成は、第１実施形態の携帯型浄水器と共通する。共通する構成の説明は省略し、異なる構成について説明する。図９（ａ）は、加圧手段５と減圧手段９とが一体的に形成された加圧・減圧手段の拡大縦断面図である。図９（ｂ）は、図９（ａ）の分解図である。
【００５９】
ポンプ５０１は、ポンプ台座５０８に取り付けられている。ポンプ台座５０８は、底部から上部に向かって拡径する逆円錐台形状に形成され、中央部に上下方向に連通する貫通孔５０９を有している。貫通孔５０９の上部には、ポンプ本体５０３の接続部５０５の外ネジヤマ５０６に螺合する内ネジヤマ５１０が形成されている。ポンプ本体５０３の接続部５０５の外ネジヤマ５０６とポンプ台座５０８の内ネジヤマ５１０とを螺合することにより、ポンプ５０１をポンプ台座５０８に取り付けることができる。ポンプ台座５０８の上下方向の略中央部には、減圧手段装着部５１１が設けられている。減圧手段装着部５１１は、両端が開口した横向きの筒状に形成され、一方の開口がポンプ台座５０８の貫通孔５０９に連通している。減圧手段９として、ボタン型エア抜き装置９０１が装着されている。
【００６０】
ポンプ台座５０８の下方には、ポンプ台座５０８を第１の蓋体２に接続するための接続部５１２が設けられている。接続部５１２の中央には、ポンプ台座５０８本体の貫通孔５０９に連通する貫通孔５１３が設けられている。接続部５１２の下面からは、中空の円筒部が延設され、円筒部の周囲には、第１の蓋体２の加圧手段装着部２０１に螺合するための外ネジヤマ５１４が設けられている。
【００６１】
図１０を参照して、本発明の第３実施形態に係る携帯型浄水器を説明する。第３実施形態の携帯型浄水器は、活性炭などの吸着剤を円柱状若しくは円板状に成形したカートリッジ本体６１０を備える浄化手段を用いる点のみが異なり、他の構成は、第１実施形態の携帯型浄水器と共通する。共通する構成の説明は省略し、異なる構成について説明する。図１０は、活性炭などの円柱状もしくは円板状に成形されたカートリッジ本体６１０を備える浄化手段６を模式的に説明する拡大縦断面図である。浄化手段は、上流側から順に、不織布６２３と、殺菌セラミック６２５と、活性炭などの吸着剤を円柱状に成形したカートリッジ本体６１０とを有する。第３実施形態では、浄化手段収納部２０６に浄水の流路がなく、浄化手段の上面から流出された浄水が、浄水貯蔵部７に直接流入する。すなわち、第３実施形態では、浄化手段収納部２０６に浄水用の流路を形成する必要がないので、浄水器を小型化することができる。また、浄化手段収納部２０６に浄水流路がなく、洗浄などの手間もなくなる。当実施形態は、浄化手段収納部２０６に活性炭などの吸着剤を配した本発明の携帯型浄水器の一例であり、具体的には、浄化手段収納部２０６に活性炭などの吸着剤を配したカートリッジを配置した本発明の携帯型浄水器の一例である。よって、当実施形態において、不織布６２３及び／または殺菌セラミック６２５を省略することも可能であり、また、その他部材を追加して配置したり、浄化や殺菌等に効果を有する材質を追加で配することも可能である。
【００６２】
以上、本発明を好ましい実施形態に基づいて説明したが、本発明は、前記実施形態に限定されるものではなく、本発明の趣旨を逸脱しない範囲で、各実施形態の形状、構成、配置、材料などを適宜変更することができる。また、各実施形態にて示した構成、配置、材料、形状、数値範囲などの規定は、各々独立に、或いは、何れか２以上の規定を組み合わせて適用することができる。
【００６３】
本発明によれば、浄水を衛生的に貯蔵できる。そのため、浄水が必要な時に待つことなく、すぐに供給することができる。本発明によれば、予め浄化しておいた浄水が不足した場合にも、短時間で原水を浄水にすることができる。本発明の浄水器は、小型化が可能である。
【符号の説明】
【００６４】
１：原水貯蔵容器、２：第１の蓋体、３：第２の蓋体、４：原水貯蔵部、５：加圧手段、６：浄化手段、７：浄水貯蔵部、８：吐水手段、９：減圧手段、１０Ａ：携帯型浄水器、１０１：原水貯蔵容器の底部、１０２：原水貯蔵容器の側壁、１０３：原水貯蔵容器の開口、２１０：原水接続口、７０３：浄水接続口、７０７：浄水貯蔵部の底部
【図１】
0005629677.tif 000002
【図２】
0005629677.tif 000003
【図３】
0005629677.tif 000004
【図４】
0005629677.tif 000005
【図５】
0005629677.tif 000006
【図６】
0005629677.tif 000007
【図７】
0005629677.tif 000008
【図８】
0005629677.tif 000009
【図９】
0005629677.tif 000010
【図１０】
0005629677.tif 000011